(57)【要約】ウォレットは２つのシェル半身を有し、それはウォレットを開閉するための剛性の背骨を備え、ウォレットに固定された一束のキーを内包する。ウォレットは２つのシェル半身の窓を覆う事前引張された表皮により開いた位置に付勢される。表皮は弾性により一時的な外側への膨らみを許容し、そして膨らませた負荷が取り除かれると直ちに、最初の無負荷の状態に跳ね戻る。【選択図】図４
2019520881.tif 000002
【特許請求の範囲】
【請求項１】
ウォレットであって、２つのシェル要素、例えば半身を有し、前記シェル要素は接続手段により関連付けられ、互いに対して移動でき、１つの前記シェル要素の一部、例えば境界端部は他の前記シェル要素の対応する部分から離れるように移動できて、前記ウォレットを開閉する、ことを特徴とするウォレット。
【請求項２】
開いた位置と閉じた位置を有し、前記閉じた位置では細長いスリーブ状の形状を提供し、前記開いた位置では前記シェル要素（５）は相互に鋭角を形成し、前記シェル要素（５）は単一の端部（１１）に沿って互いに対してただ接続され、また剛性の背骨を提供するヒンジ接続を提供し、前記閉じた位置では前記ウォレットの内部空間は４つの端部（１３）の内の３つの端部を経由して周辺環境に対して開放され、前記４つの端部は前記ウォレットの主面（５）の１つに向かって見た時に長方形の形状を提供し、前記ウォレットは前記背骨（１１）において枢動することにより前記開いた位置と前記閉じた位置の間を移動する、ことを特徴とする請求項１に記載のウォレット。
【請求項３】
物体、例えば一束のキー（２）を包含し、前記物体例えば束は保持手段（６）により前記ウォレットに固定され、前記保持手段は、完全に前記ウォレットの中にありそして前記関連する物体も前記ウォレットの中にある引込位置と、少なくとも部分的に前記ウォレットの外に突出し、そして前記関連する物体も前記ウォレットの外に突出する伸長位置と、の間で移動でき、前記ウォレットは前記保持手段が前記引込位置か伸長位置にある場合の両方で選択的に開閉するように設計される、ことを特徴とする請求項１または２に記載のウォレット。
【請求項４】
好適にはホイル、シートまたは膜の材料、例えば表皮により提供される、前記ウォレットを前記開いた位置に付勢する伸縮性または弾性の手段を有する、ことを特徴とする請求項１−３のいずれかに記載のウォレット。
【請求項５】
１つまたはそれ以上の主面を有し、前記主面は、弾性による一時的な外側への膨らみを許容する領域を有し、剛性の境界により好適には完全に周方向に範囲を定められ、それにより前記領域は、前記膨らみを起こした負荷が取り除かれた時に最初の無負荷の状態に直ちに跳ね戻る、ことを特徴とする請求項１−４のいずれかに記載のウォレット。
【請求項６】
前記物体の前記保持手段は一束のキーを担持し、そして前記保持手段と前記一束のキーの組立体は、前記ウォレットが開いた位置にある場合にのみ、前記引込位置と伸長位置の間を移動するように設計される、ことを特徴とする請求項１−５のいずれかに記載のウォレット。
【請求項７】
両方の前記シェル半身（５）を覆い、そして１つの前記シェル半身（５）から他の前記シェル半身（５）に前記背骨（１１）を通って伸長し、そして前記ウォレットの前記閉じた位置および前記開いた位置の両方において少なくとも５％のたわみで事前引張される、弾性的に伸縮性のホイル（１２）を有し、前記ウォレットの前記閉じた位置および前記開いた位置の両方において前記シェル半身（５）は、前記ウォレットの前記閉じた位置から前記開いた位置への移動の方向に付勢される、ことを特徴とする請求項１−６のいずれかに記載のウォレット。
【請求項８】
少なくとも１つの前記シェル半身（５）は、矩形の金属板の空間フレーム（７）を有し、前記空間フレーム（７）は、前記シェル半身（５）の境界を提供し、そしてまたホイル（１２）により覆われる単一の窓（１５）の外部境界を提供し、前記ウォレットは剛性の境界（１３）と主面（５）を有し、前記主面はホイルの領域において、閉じたウォレット内の嵩張る内容物により外側に膨らむことができる、ことを特徴とする請求項１−７のいずれかに記載のウォレット。
【請求項９】
前記ホイルは、ヒンジにより連結される端部とは反対側の前記主面（５）の端部（１３）に固定的に取り付けられ、そして他の端部では緩んでいる、ことを特徴とする請求項１−８のいずれかに記載のウォレット。
【請求項１０】
前記ホイル（１２）は矩形であり、事前引張されて少なくとも１０％弾性的にたわみ、しわが無く、容易に折り目を付けられまた畳まれ、前記ウォレットの長手方向端部（１３）と平行な枢動軸の向きと平行な方向の寸法を有し、前記ホイルの前記寸法は前記シェル半身（５）の同じ方向における寸法以下である、ことを特徴とする請求項１−９のいずれかに記載のウォレット。
【請求項１１】
前記ホイルは少なくとも１００％の弾性たわみを許容し、そして長さ１００ミリメートル、幅１００ミリメートルのシートの１ミリメートルのたわみに対し少なくとも０．５ニュートンかつ５ニュートン未満の弾性的付勢を提供し、ホイル厚みは少なくとも０．２５ミリメートルかつ１．７ミリメートル未満であり、前記ホイルは、当該ホイルの面に平行な１つの方向に、当該ホイルの面に平行で垂直な方向の弾性たわみと比べて少なくとも５０％異なる弾性たわみを許容し、それにより前記ホイルは異方性たわみの態様を有し、ここにおいて前記ホイルが最小たわみを許容する方向は枢動軸（１１）に平行な方向であり、そして前記ホイルは弾性たわみ糸から編まれる、ことを特徴とする請求項１−１０のいずれかに記載のウォレット。
【請求項１２】
開放角度を９０度未満に制限するため、ヒンジ（１１）に一体化される機械的ストップ（１４）を備える、ことを特徴とする請求項１−１１のいずれかに記載のウォレット。
【請求項１３】
ヒンジ（１１）はシャフトが無く、そして前記シェル半身（５）はヒンジ（１１）に端部を有し、前記端部はそれらが枢動を許容するため形状嵌合を有するように形状を決められ、そして前記端部は緩い相互係合を有し、そして前記ホイルの付勢により、相互の係合を維持され、そして互いに対して押圧を維持し、一方で互いの中に嵌合する、ことを特徴とする請求項１−１２のいずれかに記載のウォレット。
【請求項１４】
手に持った場合、閉じた前記ウォレットは剛性に感じられ、一方同時に主面はスポンジのように指の先で押しつぶすことができ、そして内包されるキーを主面を介して検知することができ、一方剛性の検知は硬い端部により提供される固定の長さ、幅および厚さに起因し、一方無負荷の閉じた位置の前記ウォレットは平らで滑らかな主面を持つ容器のイメージを提供し、前記ウォレットの元の厚さ（即ち、無負荷の時のウォレットの厚み）を超えた一束のキーを内包した場合、片方または両方の主面は外に膨らみ、そして表皮は、前記ウォレットが元の厚さを超える一束のキーを内包した場合、表皮の圧印または型押し効果により、表皮を介して物体を見えるようにする起伏を獲得する、ことを特徴とする請求項１−１３のいずれかに記載のウォレット。
【請求項１５】
保持手段（６）に接続される物体は存在しない、ことを特徴とする請求項１−１４のいずれかに記載のウォレット。
【請求項１６】
無負荷で閉じられた場合、８０−１２０ミリメートルの長さ、３０−６０ミリメートルの幅、５−３０ミリメートルの厚さを有する、ことを特徴とする請求項１−１５のいずれかに記載のウォレット。
【請求項１７】
請求項１−１６のいずれかに記載のウォレットを操作する方法であって、前記方法は、閉じた位置からスタートし、前記ウォレットは片手で保持され、そして前記手の指により操作ボタンが操作されて、ロックが解除され、前記ウォレットはホイル（１２）の付勢により、自動的にその開いた位置に移動し、そして開いた位置に継続する付勢により維持され、そしてその後保持手段がその引込位置から伸長位置に移動され、それにより前記保持手段およびまた保持手段に関連する物体が前記ウォレットの外に持ち出され、そしてその後、前記保持手段およびまた保持手段に関連する物体が前記ウォレットの外に留まる間に、前記片手の指の動きによりシェル半身（５）を一緒に押し込むことにより、前記ウォレットは前記ホイルの付勢に逆らって閉じ、ここにおいて前記ホイル（１２）の事前引張は、開いた位置から閉じた位置への移動の間に少なくとも２．５％増加する、ことを特徴とする方法。
【請求項１８】
前記保持手段は、前記片手の手首の運動により前記伸長位置に移動される、ことを特徴とする請求項１７に記載の方法。
【発明の詳細な説明】
【技術分野】
【０００１】
本発明は、キーまたは類似の物品（以下、全体的に「キー」と呼ばれる）を保管するためのウォレットに関する。本明細書におけるキー手段とは、一般的には細長い金属製の物品であり、手で握り、家や車のドアのキーホールに挿入して、挿入したキーを時計回りまたは反時計回りに回してドアをロックおよびロック解除するものを意味する。
【背景技術】
【０００２】
従来技術のキーウォレットは、例えば、ＧＢ８７７３２５Ａ（特許文献１）、ＵＳ１１８７８５２Ａ（特許文献２）、ＣＨ５９６７９６Ａ５（特許文献３）、ＤＥ３７０２５０５Ｃ１（特許文献４）、ＥＰ１２４３１９８Ａ１（特許文献５）、ＵＳ１４９４２４２Ａ（特許文献６）および他の多くの文献に記載されている。
【先行技術文献】
【特許文献】
【０００３】
【特許文献１】ＧＢ８７７３２５Ａ
【特許文献２】ＵＳ１１８７８５２Ａ
【特許文献３】ＣＨ５９６７９６Ａ５
【特許文献４】ＤＥ３７０２５０５Ｃ１
【特許文献５】ＥＰ１２４３１９８Ａ１
【特許文献６】ＵＳ１４９４２４２Ａ
【発明の概要】
【０００４】
「弾性のある」「弾力性のある」「曲がる」という用語は、ゴムまたは弾性バンドのように、要素または材料が長さおよび／または幅方向に拡張できることを説明するために主に使用される。
【０００５】
本発明の目的は多様であり、以下の１つまたはそれ以上でありうる：使用の快適性；片手による操作；直観的な操作；安全な操作；信頼できる操作；長寿命；量産に適する；環境にやさしい；限られた部品点数；大量のコンパクトな保管および／または輸送；コンパクトサイズ；単一または少数のキーおよび多数のキーの両方において周りにきつく適合する；ズボンポケットサイズ；魅力的な外観；修理が容易；リサイクルが容易；ズボンのポケット内で持ち運ばれている間にキーが互いにぶつかって破損しないようにキーを保護；キーの束のガタガタ騒音を防止；特大の、特に極端に長いキーの保管が可能；キーの束から単一のキーを簡単に選択可能；単一のキーが操作可能にウォレットの外にあり、一方、束の残りのキーはウォレット内に格納されることを許容する；格納されたキーに簡単にアクセス可能；キーの束からのキーの削除や追加が容易；キーの束が、ユーザの単純な動き、例えば手または手首によって、ウォレットに容易に出入りする；キーに加えて壊れ易い物品、例えば、紙巻タバコの安全な保管を可能にする；玩具または運動器具例えば小さな物体用の打楽器またはトランポリンとして使用することができる；他の物品を保護する；同じポケットまたはバッグに入れて持ち運ばれる他の物品、例えば携帯電話またはウォレット、およびポケット又はバッグそれ自体を、キーによって引き起こされる破損、例えば傷や磨耗から防止する；ウォレットが閉じられている間に、ウォレットに取り付けられた１つまたは複数のキーがウォレットの外側にあることを可能にする；片手に収まるのに十分なほど小さい寸法、例えばほぼクレジットカードのフォーマット。
【０００６】
本発明のウォレットは、好ましくは２つのシェル要素、例えば半身（パネルとも呼ばれる）から構成され、それらは接続手段により結合され、それによりそれら半身は互いに対して移動でき、１つのシェル要素の一部、例えば境界端部が他のシェル要素の対応する部分から離れるように移動して、ウォレットを開閉することができる。これは、シェル要素の一方または両方の枢動または旋回または回転運動によることが好ましいが、並進運動またはこれらの運動の２つ以上の組み合わせも実現可能である。
【０００７】
好ましくは、ウォレットは、端部および／または側面（副面とも呼ばれる）が硬く、例えば硬いフレームにより提供され、一方１つのまたは両方の対向する主面は、無負荷の平坦な形状と、主面に垂直に作用する負荷、例えばウォレットの中身により引き起こされる膨らんだ形状との間を例えば繰り返し移動する、弾力的たわみを許容する、容器を提供する。そのため、手持ちの場合、閉じたウォレットが固く感じられると同時に、スポンジのように主面が指先により押し込まれることができ、そして内包されるキーは主面を介して検知することができる。固い感覚は、剛性の端部によって提供される固定の長さと幅と厚みに起因する。
【０００８】
好ましくは、ウォレットは、表皮（膜またはホイルまたは布とも呼ばれる）によって覆われまたは提供される１つまたは複数の外壁部分を有する。表皮は、単一の材料タイプによって提供され、または２つ以上の材料タイプ、例えば、互いに隣り合って配置され、例えば縫い目またはシームレスジョイントによって互いに接合されるストリップとして提供されることができる。
【０００９】
好ましくは、負荷のない閉じた位置のウォレットは、平らなおよび／または滑らかな主面を有する容器の形を提供するが、一方閉じたウォレットの元の厚さ（すなわち、無負荷のときのウォレットの厚さ）を超えるキーの山が詰め込まれた場合は、一方または両方の主面が外側に膨らみ、そして好ましくは、両方の場合において、ウォレットを開くために相互に移動する部分の間の有りうる隙間を別として、ウォレットはその外側端部に沿って閉じられている。
【００１０】
表皮またはその一部の弾性的動きは、表皮が打撃ドラムのシートのようにドラムの開口部を横切ってぴんと張られ、そして局所的に表皮に垂直な力が例えば指先により印加される場合、局所的窪みが生成され、そしてその力が取り除かれると、表皮は直ちに跳ね戻るまたはリバウンドする。典型的には、表皮は、表皮に負荷を与える物体例えばキーの輪郭が反対側の表面に見える（言い換えれば、圧印や型押し効果により物体が表皮を介して見えるようにする起伏を表皮が獲得する）ように変形する。
【００１１】
例えば、ウォレットは、ウォレットを開閉するように設計された枢動軸を提供する剛性の背骨（ヒンジまたはピボットとも呼ばれる）と、背骨から延びる２つのシェル要素と、を有し、それにより２つのシェル要素は、例えば本の表面と裏面のように背骨においてヒンジ連結され、それらシェル要素は固定の長さと幅を有する。
【００１２】
以下の１つ以上が表皮又はその一部に適用される：好ましくは少なくとも５又は１０又は２０又は３０又は５０又は１００又は２００％弾力的または弾性的にたわむまたは拡張する；長さ１００ミリメートル、幅１００ミリメートルのシートに対する１ミリメートルのたわみに対して、弾性付勢が最大１０または８または６または５または４または３または２または１．５ニュートン、および／または少なくとも０．１または０．２５または０．５ニュートン；ウォレットが開いているおよび／または閉じている場合に好ましくは少なくとも２または５または８または１０％のたわみで引き伸ばされるか又は事前引張される；ウォレットが開いた状態から閉じた状態に移行する間、引き伸ばしまたは事前引張は増加し、それは好ましくは少なくとも２．５または５または７または１０％である；天然皮革または引張剛性（非伸縮性）布または織布または不織布とは異なる；天然皮革または引張剛性（非伸縮性）布または織布または不織布と比較して少なくとも１０％多い弾性的たわみ；厚さが少なくとも０．２５または０．５または０．８または１．０または１．３ミリメートルおよび／または最大１．７または２または２．５または３または５ミリメートル、例えば約１．５ミリメートル；異方性たわみが一方向に少なくとも５または１０または１５または２０または５０％異なるかまたは実質的にたわみが存在しない（実質的に非伸縮性である）、好適には最大たわみはウォレットの枢動軸に垂直な方向；弾性様またはゴム様材料またはゴムまたはラテックスまたはネオプレンから製造されるか、または弾性的にたわむ糸から織られまたは編まれまたは組まれたもの；ウォレットを開いた位置に付勢する手段を提供する；空気および／または水の透過性または不透過性；滑りにくい表面；ウォレットの枢動軸の両側に拡張する；好ましくは外部から枢動するウォレットのパネルを完全に覆う；好ましくは弾性的に容易に折り目をつけられ、および／または折り畳みできる；永久変形、例えば折り目および／または折り畳みおよび／またはしわに対して実質的に耐性を有する；永久変形、例えば、１つ以上の折り目、折畳みまたはしわが存在しない；シートまたはホイルまたは膜または布または織物のようなもの；穿刺抵抗性；耐水性；耐引裂性；ウォレットの内容物に対しその形状を弾性的に容易に適合させる；ほぼ矩形状；ホルダの幅の約２倍の寸法；実質的に非弾性または非伸縮性の材料または実質的に弾性の少ない材料、例えば天然皮革または布から部分的に作製される；無荷重のウォレットの開いた位置および／または閉じた位置において、少なくとも窓を覆う領域が、しわがない、折り目がない、襞がない、の内の1つ以上の特性を有する；少なくとも窓を覆う領域において、開いたおよび／または閉じた位置にある無負荷のウォレットが、平坦、滑らか、及びむらの無い面のうちの１つ以上の特徴を提供する。
【００１３】
ハウジングには次の１つまたは複数が適用される：厚さの薄い壁；シャフトの無いピボット；枢動軸は、長い側面に沿って延びる；好ましくは対向する主面を提供する、２つの相互に枢動するパネル；パネルはピボットにスナップフィットする；パネルはピボットを提供するための一体型ヒンジ部を有する；少なくとも１つのパネルは、剛性の空間フレームおよび／または１つ以上の開口部を備える；空間フレームは単一の開口部を画定する；空間フレームは外縁を提供する；空間フレームは、構造またはフレームワークを提供するか、または周縁である；空間フレームはＵ字型であり、その遠位の脚部の端部は背骨と接合されている；パネルは金属、例えば板金からなり、例えばパネルの空間フレーム、またはその一部は、金属、例えば板金からなる；パネルは表皮に覆われている；開口部（窓とも呼ばれる）は表皮によって閉じられている；主面またはパネルに関連する開口部は、主面またはパネルの表面積の少なくとも５０または６０または７０または８０または９０％を占める；矩形；長さは少なくとも幅の２倍；厚さ（無負荷状態、閉じた状態）は幅の２０％または２５％または５０％または７５％以下；厚さ（無負荷、閉じた状態で）は少なくとも５または１０ミリメートルで、および／または２０または２５または３０ミリメートル以下である；内部空間（無負荷、閉じた状態）の厚さ（すなわち、１つの主壁から反対側の主壁まで測定される）は、少なくとも５または１０ミリメートルで、および／または２０または２５または３０ミリメートルを超えない（物体、例えば鍵などは内部空間に保管されている）；細長い；長さは、少なくとも５０または８０または９０ミリメートル、および／または最大１１０または１２０ミリメートルであり、例えば約１００ミリメートルである；幅は、少なくとも３０または４０ミリメートル、および／または最大５０または６０ミリメートルであり、例えば、約４５ミリメートルである；外側端部の少なくとも３つまたは４つは剛性である（矩形の場合には、閉じた状態では４つの端部を有する）；
【００１４】
表皮によって開いた位置に付勢され、好ましくは完全に開いた位置にある場合にはさらに開くように付勢され、ここでさらなる開きは例えばウォレットの停止手段により阻止される；停止手段はヒンジに一体化されている；好ましくはキーのグリップ（「グリップ」は、キーが鍵穴に挿入される場合に親指と人差し指の間に保持されるキーの部分を意味する）の孔に係合するキー保持または接続手段（ここでは「チェーン」とも呼ばれる）は、例えばキーリングまたはループおよび／または可撓性引張り部材からなり、キーを担持する；チェーンの長さはホルダの長さの少なくとも５０または７５％；少なくとも１つのチェーンの末端は、キーを追加し又は取り外しまたは安全のため（例えば事故の場合）、例えば、スナップフィットによってハウジングに一時的に固定される；チェーンの長さは、ホルダ固定端との最短距離より少なくとも２５％または５０％または７５％または１００％長い；チェーンの端部はパネル端部、好ましくは短い方の端部に、例えばほぼ中間に固定される；チェーン端部はピボットにまたはその近くに固定される；各チェーン端部は適切なパネルに固定される；単一チェーンがすべてのキーを保持する；弾性または非弾性チェーン；弾性で拡張可能な保管空間、例えば５０％または１００％または１５０％の厚さの拡大；保管空間の境界はホルダの外壁、例えば表皮によって提供される；保管空間の拡張はホルダ体積の同一の拡大を提供する；パネルは両方のパネルの枢動端部において引掛け部品により相互に係合する；パネルの枢動端部は表皮の付勢によって互いに押圧される；パネルは枢動端部で相互にゆるく当接する；パネル端部は枢動部において互いに嵌合する；枢動部のパネル端部は表皮の付勢に対抗して直ちに移動できる；枢動するシェル半身がパネルを提供する；閉じた位置において、少なくとも１つの側面が、少なくとも２または３または４または５ミリメートルのギャップを提供し、好ましくは１つまたは最大２つの側面がこのようなギャップを提供し、それは好ましくは実質的にまたは少なくともその全体の長さの５０または７５％に対してである；
【００１５】
短い側面がそのギャップを提供する；シェル半身をロック解除するための操作ボタンは角または角の近くまたは端部の長さの中間、および／または長い端部または短い端部に位置する；操作ボタンはパネルの間に配置され、および／またはパネルの間から外側に突出する；操作ボタンはウォレットが閉じている間に外部からアクセス可能である；操作手段、例えばボタンは、ロック解除を作動させ、好ましくはロック部分の並進運動を提供する；ロックを作動させるための操作ボタンに関連する伝達手段；例えばユーザの指または親指の押込みまたは回転操作によって操作されるボタン；並進または回転ボタン；開放角度は、例えばピボットでの制限手段または停止手段により１２０度または１１０度または１００度または９０度または８０度または７０度未満に制限される；開放角度は少なくとも４５度または６０度；表皮は、閉じた位置から枢動させることによってホルダを弾力的に開く弾性力を提供し、ホルダの一方または両方の主面の表面積の少なくとも８０％または９０％または９５％を提供し、および／またはパネルを付勢係合に維持する；表皮は例えば締め付けまたは挟み込みにより、好適にはパネルの単一の端部において、好適にはフレームに取り付けられる；表皮は、対向する端部に、好適には両方共長い端部に、または枢動軸に平行な端部（複数）においてフレームに、好適にはただ固定される；ピボットは１方のパネルの枢動端部にある部分的に円筒の内部壁を有し、その内部壁は他方のパネルの枢動端部にある部分的に円筒の外側壁の中にきつく入れ子にされ、それらの部分的に円筒の壁は枢動方向に互いに滑動係合する；外側円筒壁は、開いた位置に向かう枢動を制限するために、内側円筒壁の停止端部に関連する停止端部を有する；表皮は、ホルダの好ましくは緩い、包囲体または覆いまたは梱包を提供する；表皮は、ウォレットの開いたおよび／または閉じた位置において、事前引張されまたはタイトに引っ張られる；表皮は、開いた位置では少なくとも１または２または３または４または５または６または７または８または９または１０％のたわみだけ、事前引張されまたは引っ張られる；
【００１６】
表皮は外部表面を提供する；ロックは剛性のおよび／または内部ロックを提供する；ロックは内部で提供される；ロックは、ウォレットの開いた位置への付勢に対抗して固定的に、またはしっかりと対向する端部を保持する；ロックは解除手段によって解除可能であり、それは好ましくは操作手段により、例えば伝達手段を介して操作される；ロックは、閉じた位置において、互いに係合するスナップおよび／または引掛け部材を提供する；ロック部材は両方のパネルに、好適には外側端部において、好適には長い端部に、好適には中間に提供される；閉じた位置ではシェル半身は以下の１つ以上の特徴を有する：互いの上に積み重なる、互いの真上に位置する、互いに平行、ウォレットを閉じた位置に維持する；表皮はウォレットの２つの主面の外面を完全に覆う；閉じられている場合、ウォレットは、ウォレットの厚さによって間隔を置かれた外側の対向する２つの主面から構成される；厚さは、元の厚さの少なくとも２倍または３倍または４倍に弾性的または弾力的に拡大することができる；ロックはウォレットを選択的に閉じた状態に保つため、解放可能であり、好ましくは内部型である；閉じられた無負荷状態では、細長い、平坦な壁に囲まれたスリーブ状の形状である；２つのパネルは背骨だけで相互に接続されている；２つのパネルは、１つの端部に沿って相互に接続され、他方の３つの端部に沿って相互に自由である；閉じられた状態および／または開いた状態では、その内部は３つの側面を経由してアクセス可能であり、そして第４の側面を経由してはアクセスできない；短い副面の端部はピボットで相互に接続されるだけである；ウォレットが開いている間に互いに離れる方向に移動する端部の少なくとも１つは、例えば表皮への取り付け手段を提供する（例えば、表皮を固定する）ために、互いの方向に伸長する部分を有する。
【００１７】
ウォレットのキー保持手段、例えばチェーンに対して以下の1つ以上の特徴が適用される：好適には少なくとも２つ、３つ、４つ、５つまたは６つのキーを保持する；関連するキーがウォレット内に格納された引込位置と、関連するキーのうちの１つ以上がウォレットから外部にあり、１つ以上の他の関連するキーがウォレット内に格納される、伸長位置との間で、例えば重力またはウォレットの動きに起因して、好適には自由に動くことができる；伸長位置で、チェーンの少なくとも一部、例えば、その少なくとも２０または３０または６０または８０％がウォレットの外側に突出している；引込位置では、チェーンは完全にウォレット内にあるか、または５または１０％を超えないチェーンがウォレットの外側にある；伸長位置と引込位置との間の移動のためにウォレットにヒンジ結合されている；ハウジングに取り付けられている；細長い；ハウジングと単一の接続点だけを有する；剛性の細長い部材、例えば、ロッドを有する。
【００１８】
ウォレットは、好ましくは、２つの対向する主面、２つの対向する長い副面および２つの対向する短い副面によって提供され、副面はウォレットの厚さを提供する。長い副面は、９０度の角度で短い副面に会合する。好ましくは、閉じている場合、長い副面は、キーが通過しないようにしっかり固定しており、および／または短い副面の一方または両方はキーが通過するための開口部を画定する。
【図面の簡単な説明】
【００１９】
添付の図面は、権利保護の範囲を限定することなく、本発明の好ましい実施形態を例示している：
【図１−５】図１および図２は、対向する側から見た閉じたウォレットの斜視図である。図３および図４は、対向する側から見た開いたウォレットおよび関連するチェーン付きキーの斜視図である。図５は、図４と類似の眺望での閉じたウォレットを示し、関連するチェーン付きキーが示されている。
【図６】閉じた状態のウォレットの主要構成要素の、スキンが取り外された分解斜視図である。
【図７−８】図７は、図１に示すウォレットの端面図である。図８は、図１に示すウォレットの断面図である。
【図９−１０】図９は開いた位置にある枢動パネルの空間フレームの分解斜視図である。図１０は閉じた位置にある組み立てられた空間フレームの断面図である。
【図１１−１２】図１１は図１０のＦの詳細図である（スケール５対１）。図１２は開いた位置にある組み立てられた空間フレームの断面図である。
【図１３−１６】図１３は図１２のＦの詳細図である。（スケール５対１）。図１４−１６は、ウォレットの組み立て中の連続的なステップを示す断面図である。
【図１７−１８】図１７は完成したウォレットの斜視図である。図１８は表皮の一実施形態を示す図である。
【発明を実施するための形態】
【００２０】
参照番号の意味：ウォレット１、キー２、キーグリップの孔３、ロックの操作ボタン４、主面または側面５、チェーン６、空間フレーム７、ロックのラッチ８、チェーン６のクイックコネクタ９、ロックのフック１０、背骨またはピボット１１、ホイル１２（膜または表皮とも呼ばれる）、クリンチ端部１３、開き角度を制限する停止手段１４、空間フレーム７内の窓１５。
【００２１】
図１−８は、２つの空間フレーム、ゴム状ホイル材料の外側エンベロープ、表皮とも呼ばれる、ロックに関連する操作ボタン、キーチェーン、キー、１つのチェーン末端に関連するクイックコネクタを示す。
【００２２】
閉じたウォレットの位置では、例えば図１に示すように、枢動軸から遠位の重ね合わされたパネルの長手方向端部はお互い近くにあり、一方開いたウォレットの位置では、図３に示すように、これらの端部は互いに離れるように動かされている。また、閉じたウォレットに主面が外側に膨らむようにキーが詰められている場合、これらの遠位端は内部ロックの堅固なフック部材によって図１に示す位置に維持される。
【００２３】
ウォレットは、２つの対向する主面と、２つの対向する長い側面と、２つの対向する短い側面とによって提供される。長い側面は９０度の角度で短い側面と会合する。閉じている場合、長い側面はキーが通過できないようにしっかり固定しているが、短い側面はキーが通過するための開口部を画定する。
【００２４】
図９は、パネルの枢動端部および表皮が固定される反対側の端部の詳細を提供する。図６と比較して、ロックのフィーチャは存在せず、ピボット端部は異なる設計がされている。
【００２５】
図１０−１３は、ピボット端部の形状フィットと開き角度を制限するための関連する停止要素の詳細を示す。表皮は存在しない。
【００２６】
図１４は、両方のパネル端部に固定された表皮を示し、そしてパネルを矢印に従って回転させることによって、図１５の位置が得られる。図１５から始めて、パネルを矢印に従って回転させることによって、図１６の位置が得られ、ここでピボット端部は形状フィットにより係合され、そして永久的に伸長されるエンベロープにより、係合において付勢される。
【００２７】
図１７は、閉じた位置で示される、ウォレット用のエンベロープを提供し、そしてパネルの遠位の端部が会合する線に沿って途切れる、表皮を概略的に示す。
【００２８】
図１８は、２つの材料タイプから作製された表皮を示す。中央のストリップは弾性があり、従って伸縮性が高く、そして両側のフィールドは天然皮革でできており、実質的に伸縮性がない。弾性の中央ストリップは、ウォレットの枢動軸と整列する。図１７のウォレットに貼られる場合、中央ストリップと天然革フィールドとの間の縫い目は、点線に位置することができる。
【００２９】
図面は、両方のパネルがヒンジ連結手段の一部を提供すること示す。
あるいは、リビングヒンジが使用可能であり、またはパネルの１つが例えば背骨として実質的にヒンジを提供する。ロックは磁気的手段を含むことができる。
【００３０】
図面、明細書および特許請求の範囲は、組み合わされた多くの特徴を含む。当業者であれば、これらも個別に考慮し、さらなる実施形態に組み合わせることができる。また、異なる実施形態も本発明に属する。ここで開示された実施形態における異なる特徴は、異なる方法で組み合わせることができ、いくつかの特徴の異なる態様は、相互に交換可能であるとみなされる。説明されたまたは図面で開示された特徴は、請求項またはそれらの参照におけるそれらの配置とは独立して、本発明の主題をそのようにまたは任意の組み合わせにおいて提供する。
【図１−５】
2019520881.tif 000003
【図６】
2019520881.tif 000004
【図７−８】
2019520881.tif 000005
【図９−１０】
2019520881.tif 000006
【図１１−１２】
2019520881.tif 000007
【図１３−１６】
2019520881.tif 000008
【図１７−１８】
2019520881.tif 000009
【国際調査報告】
2019520881.tif 000010
2019520881.tif 000011